(57)【要約】    【課題】  開封後にいわゆるクリアファイルとして利用できる封筒を郵送できるようにした郵便封筒を提供する。    【解決手段】  合成樹脂製シートで製作され、上端又は側端の投入口から被封入体を封入して郵送し得るようにした封筒であって、封筒(10)の上縁及び側縁には逆Ｌ字状の開封部(10E)が形成され、該開封部で開封することによってクリアファイル(20)が得られる一方、切手を貼着可能でかつ消印を押印可能とした切手消印シート(12)が封筒の表面又は裏面に剥離可能に貼着されることによって郵送可能となっている。【選択図】  図１
2010132326.tif 000002
【特許請求の範囲】
【請求項１】
合成樹脂製シートで製作され、上端又は側端の投入口から被封入体を封入して郵送し得るようにした封筒であって、
封筒の上縁及び側縁には逆Ｌ字状の開封部が形成され、該開封部で開封することによってクリアファイルが得られる一方、
切手を貼着可能でかつ消印を押印可能とした切手消印シートが封筒の表面又は裏面に剥離可能に貼着されることによって郵送可能となっていることを特徴とする郵便封筒。
【請求項２】
合成樹脂製シートで製作され、上端又は側端の投入口から被封入体を封入して郵送し得るようにした封筒であって、
封筒の上縁及び側縁には逆Ｌ字状の開封部が形成され、該開封部で開封することによってクリアファイルが得られる一方、
封筒の投入口の周縁には貼着片部が連続して形成され、切手を貼着可能でかつ消印を押印可能とした切手消印シート部が上記貼着片に貼着され又は形成されることによって郵送可能となっていることを特徴とする郵便封筒。
【請求項３】
上記切手消印シートが横３５ｍｍ以上×縦８０ｍｍ以上の大きさである請求項１記載の郵便用封筒。
【請求項４】
上記封筒の表面の一部が透明な窓部に構成され、郵送後に写真立てに利用できるようにした請求項１又は２記載の記載の郵送封筒。
【請求項５】
上記開封部がマイクロミシン目、ミシン目あるいはハーフカットで構成されている請求項１又は２記載の郵送封筒。
【請求項６】
上記投入口が剥離可能なテープで貼着されている請求項１又は２記載の郵便封筒。
【請求項７】
上記投入口が封止舌片によって封止されている請求項１記載の郵便封筒。
【発明の詳細な説明】
【技術分野】
【０００１】
この発明は郵便封筒に関し、特に開封後にいわゆるクリアファイルとして利用できる封筒を郵送できるようにした郵便封筒に関する。
【背景技術】
【０００２】
従来より、書類を収納し保管するのに便利な、いわゆるクリアファイルが種々提案されている（特許文献１、特許文献２）。このクリアファイルでは一枚の合成樹脂製シートを半折するとともに、その半折の部分を左側縁として下縁をシールし、右側縁及び上縁を開放させた構造が基本的に採用されている。
【０００３】
ところで、各種のダイレクトメールには封書や葉書がよく利用されている。例えば、少なくとも２枚の紙片を二つ又はＺ状に相互に折り重ね、あるいは巻き紙状に折り重ね、少なくとも重ねられた２枚の紙片の周縁又は全面を擬似接着し、受取人が貼り合わせた紙片を剥離して内部の印刷や印字の内容を見れるようにした構造が知られている。
【０００４】
しかし、従来のダイレクトメールではその宣伝広告機能が注目され、一人の受取人に多数のダイレクトメールが届くことが多くなったことから、受け取ったダイレクトメールをそのまま廃棄し、あるいは貼り合わせた紙片を剥離しても内部の印刷や印字の内容をよく読まずに廃棄してしまうことが多かった。
【０００５】
これに対し、封筒に逆Ｌ字状の開封部を設け、開封すると、クリアファイルが得られるように構成し、ダイレクトメールの受取人の注意を喚起することができるようにした封筒が提案されている（特許文献３、特許文献４）。
【０００６】
【特許文献１】特開２００３−２５７７９号公報
【特許文献２】特開２００３−１７０６８７号公報
【特許文献３】特開２００５−３０６４３１号公報
【特許文献４】特開２００６−２７６５２号公報
【発明の開示】
【発明が解決しようとする課題】
【０００７】
しかし、特許文献３、４記載の封筒では合成樹脂材料で製作されているので、切手を貼ろうとしても剥がれてしまうばかりでなく、郵便局で消印を押すことができず、郵送には使用できないという問題があった。
【０００８】
本発明はかかる問題点に鑑み、開封後にいわゆるクリアファイルとして利用できる封筒を郵送できるようにした郵便封筒を提供することを課題とする。
【課題を解決するための手段】
【０００９】
そこで、本発明に係る郵便封筒は、合成樹脂製シートで製作され、上端又は側端の投入口から被封入体を封入して郵送し得るようにした封筒であって、封筒の上縁及び側縁には逆Ｌ字状の開封部が形成され、該開封部で開封することによってクリアファイルが得られる一方、切手を貼着可能でかつ消印を押印可能とした切手消印シート部が封筒の表面又は裏面に剥離可能に貼着されることによって郵送可能となっていることを特徴とする。
【００１０】
本発明の特徴の１つは開封部で開封することによってクリアファイルが得られるようにした合成樹脂製の封筒の表面又は裏面に、切手消印シート部を剥離可能に貼着するようにした点にある。
【００１１】
これにより、切手を封筒に貼ることができるとともに、消印を押すことができるので、郵送することができる。その結果、本発明の封筒は企業におけるダイレクトメールの用途だけでなく、個人ユーザにおける郵便物の用途にも活用できる。
【００１２】
上記では封筒に切手消印シート部を剥離可能に貼着するようにしたが、封筒の投入口の周縁に貼着片部を一体に形成し、そこに切手消印シート部を貼り付けあるいは形成すると、上記と同様に郵送することができる。
【００１３】
即ち、本発明に係る郵便封筒は、合成樹脂製シートで製作され、上端又は側端の投入口から被封入体を封入して郵送し得るようにした封筒であって、封筒の上縁及び側縁には逆Ｌ字状の開封部が形成され、該開封部で開封することによってクリアファイルが得られる一方、封筒の投入口の周縁には貼着片部が連続して形成され、切手を貼着可能でかつ消印を押印可能とした切手消印シート部が上記貼着片に貼着され又は形成されることによって郵送可能となっていることを特徴とする。
【００１４】
切手消印シート部は切手を貼ることができるとともに、消印を押印することができる大きさであればよく、具体的には横３５ｍｍ×縦８０ｍｍ以上の大きさであればよい。
【００１５】
また、切手消印シート部を剥離可能に貼着する場合、切手消印シートの裏面に例えば糊を塗布することによって剥離可能性を付与できるが、他の粘着剤を塗布して粘着することによっても同様に剥離可能性を付与できる。
【００１６】
切手消印シート部は切手を貼ることができるとともに、消印を押印することができればよく、例えば紙片を用いることができるが、剥離性が必要ない場合には薬剤、例えばインクジェットプリンタ用記録媒体に用いられる公知のインク定着剤を塗布して切手を貼着でき消印を押印することのできる切手消印シート部を形成するようにしてもよい。
【００１７】
封筒は例えば二枚のシートを重ね、周縁をシールし又は貼り合わせることによって製造してもよく、又クリアファイルの製造工程を利用して製造することもできる。即ち、シートを折り線で二つに折り重ね、折り線を左側縁として上側縁、下側縁及び右側縁の全部又は一部をシールし又は貼り合わせて製造することもできる。
【００１８】
封筒の材質は合成樹脂材料であればよく、例えば合成紙や紙等に合成樹脂フィルムをラミネートしたシートを用いることもできる。また、封筒は不透明としてもよいが、開封後にクリアファイルとして利用されることを考慮すると、封筒の全部又は一部が透明又は半透明であるのが望ましい。
【００１９】
開封部はマイクロミシン目、ミシン目あるいはハーフカットで構成し、切り取るようにしてもよく、又開封部に糸を埋設しておき、糸を引っ張って切り取るようにしてもよく、あるいは擬似接着することによって構成し、擬似接着部位を相互に剥離するようにしてもよい。擬似接着は例えば接着強度を調製した接着剤を用い、接着部位を剥離できるようにすることによって実現できる。
【００２０】
さらに、クリアファイルの開放した側縁の全部又は一部を剥離可能なテープで封鎖し、テープを剥離して開封するようにしてもよく、又ホルダー類の側縁を切り裂くことによって開封するようにしてもよい。
【００２１】
投入口は剥離可能なテープ、例えば両面粘着テープで貼着してもよく、又投入口に封止舌片を一体に形成し、封止舌片によって封止するようにしてもよい。
【発明を実施するための最良の形態】
【００２２】
以下、本発明を図面に示す具体例に基づいて詳細に説明する。図１ないし図４は本発明に係る郵便封筒の好ましい実施形態を示す。図において、封筒１０は全部が透明又は半透明の表裏のシート部１０Ａ、１０から構成され、表裏のシート部１０Ａ、１０Ｂは中央の折り線１０Ｈで二つに折り重ねられ、右側縁及び下側縁が例えば超音波圧着や熱圧着等で帯状に固着され、上側縁には投入口１０Ｃが設けられ、投入口１０Ｃの一方の内縁の内面には両面接着テープ１１が幅方向のほぼ全幅に延びて貼着されている。
【００２３】
また、封筒１０の上側縁及び右側縁には固着部位の内側にはマイクロミシン目（開封部）１０Ｅが逆Ｌ字状に入れられており、マイクロミシン目１０Ｅから開封して内部の被封入体を取り出せ、又マイクロミシン目１０Ｅから上側及び右側の周縁部分を取り去ることにより、クリアファイル２０が得られるようになっている。
【００２４】
さらに、封筒１０の裏面１０Ｂには切手消印シート１２が貼着されている。この切手消印シート１２には３５ｍｍ以上×８０ｍｍ以上の大きさの紙が用いられ、切手を貼着できるとともに、消印を押印できるようになっている。また、切手消印シート１２は裏面に糊が塗布されて封筒１０の裏面１０Ｂに剥離可能に貼着されている。
【００２５】
本例の封筒１０を用いる場合、一番上の被封入体に郵送先の住所及び氏名を印字し又は書き、この被封入体を投入口１０Ｃから入れ、両面接着テープ１１の剥離紙を剥離し、投入口１０Ｃの両縁を両面接着テープ１１で接着するとともに、切手消印シート１２に郵便切手を貼着し、投函すると、郵便局で切手消印シート１２に消印が押され、相手方に郵送されることとなる。
【００２６】
郵便物を受領すると、マイクロミシン目１０Ｅで開封すると、被封入体を取り出すことができる。また、マイクロミシン目１０Ｅを全て開封すると、図４に示されるように、クリアファイル２０が得られるので、切手消印シート１２を剥離すればクリアファイルや写真立てなどに用いることができる。写真立てに用いる時には裏面に両面粘着テープで壁面等に貼ることができる。
【００２７】
図５は第２の実施形態を示し、図において図１ないし図４と同一符号は同一又は相当部分を示す。本例の封筒１０’では封止舌部１０Ｆが投入口１０Ｆの一方の周縁と一体に形成され、封止舌片部１０Ｆに両面接着テープ１１が幅方向に延びて接着されており、封止舌片部１０Ｆを折り返して封筒１０’に接着するようにしている。
【００２８】
図６は第３の実施形態を示し、図において図１ないし図５と同一符号は同一又は相当部分を示す。本例の封筒１０”では貼着片部１０Ｇが周縁の一方と連続して形成され、貼着片部１０Ｇには切手消印シート１２’が横方向にして貼着されており、このように貼着片部１０Ｇを設けて切手消印シート１２’を貼着するようにしてもよく、この切手消印シート１２’はマイクロミシン目１０Ｅから上側及び右側の周縁部分を取り去ることにより取り除くことができる。
【図面の簡単な説明】
【００２９】
【図１】本発明に係る郵便封筒の好ましい実施形態を示す正面図である。
【図２】上記実施形態を示す背面図である。
【図３】上記実施形態を示す側面図である。
【図４】上記実施形態にける開封後の状態を示す図である。
【図５】第２の実施形態を示す正面図である。
【図６】第３の実施形態を示す正面図である。
【符号の説明】
【００３０】
１０、１０’、１０”    封筒
１０Ａ        表面
１０Ｂ        裏面
１０Ｃ        投入口
１０Ｅ        マイクロミシン目（開封部）
１２、１２’      切手消印シート
２０          クリアファイル
【図１】
2010132326.tif 000003
【図２】
2010132326.tif 000004
【図３】
2010132326.tif 000005
【図４】
2010132326.tif 000006
【図５】
2010132326.tif 000007
【図６】
2010132326.tif 000008
【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
合成樹脂製シートで製作され、上端又は側端の投入口から被封入体を封入して郵送し得るようにした封筒であって、
封筒の上縁及び側縁には逆Ｌ字状の開封部が形成され、該開封部で開封することによってクリアファイルが得られる一方、
切手を貼着可能でかつ消印を押印可能とした切手消印シートが封筒の表面又は裏面に剥離可能に貼着されることによって郵送可能となっていることを特徴とする郵便封筒。
【請求項２】
合成樹脂製シートで製作され、上端又は側端の投入口から被封入体を封入して郵送し得るようにした封筒であって、
封筒の上縁及び側縁には逆Ｌ字状の開封部が形成され、該開封部で開封することによってクリアファイルが得られる一方、
封筒の投入口の周縁には貼着片部が連続して形成され、切手を貼着可能でかつ消印を押印可能とした切手消印シート部が上記貼着片に貼着され又は形成されることによって郵送可能となっていることを特徴とする郵便封筒。
【請求項３】
上記切手消印シートが横３５ｍｍ以上×縦８０ｍｍ以上の大きさである請求項１記載の郵便用封筒。
【請求項４】
上記封筒の表面の一部が透明な窓部に構成され、郵送後に写真立てに利用できるようにした請求項１又は２記載の郵送封筒。
【請求項５】
上記開封部がマイクロミシン目、ミシン目あるいはハーフカットで構成されている請求項１又は２記載の郵送封筒。
【請求項６】
上記投入口が剥離可能なテープで貼着されている請求項１又は２記載の郵便封筒。
【請求項７】
上記投入口が封止舌片によって封止されている請求項１記載の郵便封筒。
【請求項８】
合成樹脂製の封筒の表面又は裏面に剥離可能に貼着されて封筒を郵送し得るようにした切手消印シートであって、
切手を貼着可能でかつ消印を押印可能としたことを特徴とする郵便封筒用の切手消印シート。
【請求項９】
横３５ｍｍ以上×縦８０ｍｍ以上の大きさである請求項８記載の郵便封筒用の切手消印シート。